(57)【特許請求の範囲】
【請求項１】
電子目次本装置が付属したカラオケ演奏装置と、固有のリモコンＩＤが記録された複数のリモコン装置とを備え、電子目次本装置をこれと交信するリモコン装置で制御するカラオケ演奏システムであって、
カラオケ演奏装置は、待ち行列に登録された楽曲ＩＤに従って楽曲を順番に演奏し、
電子目次本装置は、曲目データベースと、制御手段と、表示手段を備え、
曲目データベースは、楽曲ＩＤと、曲名・歌手名を対応づけて集約し、
制御手段は、リモコン装置から送信される制御信号に従い、検索予約モードと、持ち歌予約モードを可能とし、
検索予約モードは、第１〜第３処理を行い、
第１処理は、リモコン装置から受信するリモコンＩＤを伴った検索制御信号に従って曲目データベースを検索するとともに検索結果を表示手段に表示させ、
第２処理は、第１処理で検索された中から一曲を予約する旨の制御信号をリモコン装置から受信した際、当該楽曲の楽曲ＩＤを待ち行列に登録し、
第３処理は、リモコン装置から受信したリモコンＩＤと、待ち行列に登録した楽曲ＩＤとを対応付けしてリモコン装置に向けて送信し、
リモコン装置は、リモコン記憶手段と、操作入力手段と、リモコン制御手段を備え、
リモコン記憶手段は、楽曲ＩＤ集合と、リモコンＩＤを格納し、
操作入力手段は、利用者入力を受け付け、
リモコン制御手段は、利用者入力に対応した制御信号をリモコンＩＤとともに電子目次本装置に向けて送信する処理と、電子目次本装置からリモコン記憶手段中のリモコンＩＤと一致するリモコンＩＤおよび楽曲ＩＤを受信した際に当該楽曲ＩＤをリモコン記憶手段中の楽曲ＩＤ集合に登録する処理と、利用者入力に従ってリモコン記憶手段中の楽曲ＩＤ集合を電子目次本装置に向けて送信する処理を行い、
持ち歌予約モードは、第４〜第５処理を行い、
第４処理は、リモコン装置から送信された楽曲ＩＤ集合を受信し、各楽曲ＩＤに該当する曲名・歌手名を表示手段に列挙表示させ、
第５処理は、リモコン装置から送信された制御信号に従って曲名・歌手名の列挙表示中から選択された一曲を予約する旨の制御信号をリモコン装置から受信した際、当該楽曲の楽曲ＩＤを待ち行列に登録する
カラオケ演奏システム。
【請求項２】
固有のリモコンＩＤが記録されたリモコン装置と交信する電子目次本装置を備え、待ち行列に登録された楽曲ＩＤに従って楽曲を順番に演奏するカラオケ演奏装置であって、
電子目次本装置は、曲目データベースと、制御手段と、表示手段を備え、
曲目データベースは、楽曲ＩＤと、曲名・歌手名を対応づけて集約し、
制御手段は、リモコン装置から送信される制御信号に従い、検索予約モードと、持ち歌予約モードを可能とし、
検索予約モードは、第１〜第３処理を行い、
第１処理は、リモコン装置から受信するリモコンＩＤを伴った検索制御信号に従って曲目データベースを検索するとともに検索結果を表示手段に表示させ、
第２処理は、第１処理で検索された中から一曲を予約する旨の制御信号をリモコン装置から受信した際、当該楽曲の楽曲ＩＤを待ち行列に登録し、
第３処理は、リモコン装置から受信したリモコンＩＤと、待ち行列に登録した楽曲ＩＤとを対応付けしてリモコン装置に向けて送信し、
持ち歌予約モードは、第４〜第５処理を行い、
第４処理は、リモコン装置から送信された楽曲ＩＤ集合を受信し、各楽曲ＩＤに該当する曲名・歌手名を表示手段に列挙表示させ、
第５処理は、リモコン装置から送信された制御信号に従って曲名・歌手名の列挙表示中から選択された一曲を予約する旨の制御信号をリモコン装置から受信した際、当該楽曲の楽曲ＩＤを待ち行列に登録する
カラオケ演奏装置。
【請求項３】
電子目次本装置が付属したカラオケ演奏装置と、固有のリモコンＩＤが記録された複数のリモコン装置とを備え、電子目次本装置をこれと交信するリモコン装置で制御するカラオケ演奏システムであって、
カラオケ演奏装置は、待ち行列に登録された楽曲ＩＤに従って楽曲を順番に演奏し、
電子目次本装置は、曲目データベースと、制御手段と、表示手段を備え、
曲目データベースは、楽曲ＩＤと、曲名・歌手名を対応づけて集約し、
制御手段は、リモコン装置から送信される制御信号に従い、第１〜第３処理を行い、
第１処理は、リモコン装置から受信するリモコンＩＤを伴った検索制御信号に従って曲目データベースを検索するとともに検索結果を表示手段に表示させ、
第２処理は、第１処理で検索された中から一曲を予約する旨の制御信号をリモコン装置から受信した際、当該楽曲の楽曲ＩＤを待ち行列に登録し、
第３処理は、リモコン装置から受信したリモコンＩＤと、待ち行列に登録した楽曲ＩＤとを対応付けしてリモコン装置に向けて送信し、
リモコン装置は、リモコン記憶手段と、操作入力手段と、リモコン制御手段を備え、
リモコン記憶手段は、楽曲ＩＤ集合と、リモコンＩＤを格納し、
操作入力手段は、利用者入力を受け付け、
リモコン制御手段は、利用者入力に対応した制御信号をリモコンＩＤとともに電子目次本装置に向けて送信する処理と、電子目次本装置からリモコン記憶手段中のリモコンＩＤと一致するリモコンＩＤおよび楽曲ＩＤを受信した際に当該楽曲ＩＤをリモコン記憶手段中の楽曲ＩＤ集合に登録する処理と、利用者入力に従ってリモコン記憶手段中の楽曲ＩＤをカラオケ演奏装置に送信して待ち行列に登録させる処理を行う
カラオケ演奏システム。
【発明の詳細な説明】
【０００１】
【発明の属する技術分野】
この発明は、電子目次本装置を備えるカラオケ演奏システムに関し、特に、電子目次本装置による検索結果を有効に活用する技術に関する。
【０００２】
【従来の技術】
カラオケ演奏におけるリクエストは、目次本でリクエスト曲の楽曲ＩＤを調べてリモコン装置に登録しカラオケ演奏装置に向けてこの楽曲ＩＤを送信するといった手順で行われている。最近ではより楽しく効率よくリクエスト操作が行えるようにした装置も登場している。例えば、特開平１０−１０５１８４号公報には、自分の持ち歌などの楽曲ＩＤをメモリしておくことができるリモコン装置が記載されている。また、本発明者らも特願平９−１０９０７７号において目次機能を備えたカラオケ選曲装置（以下電子目次本装置と記載）について開示しており、これによれば、利用者は目次本装置と対話形式で簡単に目的とするリクエスト曲を予約することができる。
【０００３】
【発明が解決しようとする課題】
ところで、前述したリモコン装置と電子目次本装置の双方が同時に利用できる環境においては、電子目次本装置でリクエスト曲を検索し、その検索結果をリモコン装置に手入力で登録する、といった使い方をすることができる。そして、このような場合には、楽曲ＩＤをいちいち手入力するのではなく、電子目次本により検索したリクエスト曲の楽曲ＩＤが自動的にリモコン装置に転送された方が便利あるし、また自然でもある。
【０００４】
そこで、本発明は電子目次本装置により検索したリクエスト曲の楽曲ＩＤがリモコン装置に自動的に蓄積登録され、そのリストを活用したリクエスト操作を行えるようにしたカラオケ演奏システムを提供することを目的とする。
【０００５】
【課題を解決するための手段】
第１発明に係るカラオケ演奏システムは、分説すると、つぎの事項（１）〜（16）により特定されるものである。
（１）電子目次本装置が付属したカラオケ演奏装置と、固有のリモコンＩＤが記録された複数のリモコン装置とを備え、電子目次本装置をこれと交信するリモコン装置で制御するカラオケ演奏システムであること
（２）カラオケ演奏装置は、待ち行列に登録された楽曲ＩＤに従って楽曲を順番に演奏すること
（３）電子目次本装置は、曲目データベースと、制御手段と、表示手段を備えること
（４）曲目データベースは、楽曲ＩＤと、曲名・歌手名を対応づけて集約すること
（５）制御手段は、リモコン装置から送信される制御信号に従い、検索予約モードと、持ち歌予約モードを可能とすること
（６）検索予約モードは、第１〜第３処理を行うこと
（７）第１処理は、リモコン装置から受信するリモコンＩＤを伴った検索制御信号に従って曲目データベースを検索するとともに検索結果を表示手段に表示させること
（８）第２処理は、第１処理で検索された中から一曲を予約する旨の制御信号をリモコン装置から受信した際、当該楽曲の楽曲ＩＤを待ち行列に登録すること
（９）第３処理は、リモコン装置から受信したリモコンＩＤと、待ち行列に登録した楽曲ＩＤとを対応付けしてリモコン装置に向けて送信すること
（10）リモコン装置は、リモコン記憶手段と、操作入力手段と、リモコン制御手段を備えること
（11）リモコン記憶手段は、楽曲ＩＤ集合と、リモコンＩＤを格納すること
（12）操作入力手段は、利用者入力を受け付けること
（13）リモコン制御手段は、利用者入力に対応した制御信号をリモコンＩＤとともに電子目次本装置に向けて送信する処理と、電子目次本装置からリモコン記憶手段中のリモコンＩＤと一致するリモコンＩＤおよび楽曲ＩＤを受信した際に当該楽曲ＩＤをリモコン記憶手段中の楽曲ＩＤ集合に登録する処理と、利用者入力に従ってリモコン記憶手段中の楽曲ＩＤ集合を電子目次本装置に向けて送信する処理を行うこと
（14）持ち歌予約モードは、第４〜第５処理を行うこと
（15）第４処理は、リモコン装置から送信された楽曲ＩＤ集合を受信し、各楽曲ＩＤに該当する曲名・歌手名を表示手段に列挙表示させること
（16）第５処理は、リモコン装置から送信された制御信号に従って曲名・歌手名の列挙表示中から選択された一曲を予約する旨の制御信号をリモコン装置から受信した際、当該楽曲の楽曲ＩＤを待ち行列に登録すること
【０００６】
第２発明に係るカラオケ演奏システムは、分説すると、つぎの事項（21）〜（32）により特定されるものである。
（21）電子目次本装置が付属したカラオケ演奏装置と、固有のリモコンＩＤが記録された複数のリモコン装置とを備え、電子目次本装置をこれと交信するリモコン装置で制御するカラオケ演奏システムであること
（22）カラオケ演奏装置は、待ち行列に登録された楽曲ＩＤに従って楽曲を順番に演奏すること
（23）電子目次本装置は、曲目データベースと、制御手段と、表示手段を備えること
（24）曲目データベースは、楽曲ＩＤと、曲名・歌手名を対応づけて集約すること
（25）制御手段は、リモコン装置から送信される制御信号に従い、第１〜第３処理を行うこと
（26）第１処理は、リモコン装置から受信するリモコンＩＤを伴った検索制御信号に従って曲目データベースを検索するとともに検索結果を表示手段に表示させること
（27）第２処理は、第１処理で検索された中から一曲を予約する旨の制御信号をリモコン装置から受信した際、当該楽曲の楽曲ＩＤを待ち行列に登録すること
（28）第３処理は、リモコン装置から受信したリモコンＩＤと、待ち行列に登録した楽曲ＩＤとを対応付けしてリモコン装置に向けて送信すること
（29）リモコン装置は、リモコン記憶手段と、操作入力手段と、リモコン制御手段を備えること
（30）リモコン記憶手段は、楽曲ＩＤ集合と、リモコンＩＤを格納すること
（31）操作入力手段は、利用者入力を受け付けること
（32）リモコン制御手段は、利用者入力に対応した制御信号をリモコンＩＤとともに電子目次本装置に向けて送信する処理と、電子目次本装置からリモコン記憶手段中のリモコンＩＤと一致するリモコンＩＤおよび楽曲ＩＤを受信した際に当該楽曲ＩＤをリモコン記憶手段中の楽曲ＩＤ集合に登録する処理と、利用者入力に従ってリモコン記憶手段中の楽曲ＩＤをカラオケ演奏装置に送信して待ち行列に登録させる処理を行うこと
【０００７】
上記の第１発明に係るカラオケ演奏システムにおいて、「リモコン装置から受信したリモコンＩＤと、待ち行列に登録した楽曲ＩＤとを対応付けしてリモコン装置に向けて送信する」第３処理を行う電子目次本装置付きのカラオケ演奏装置が、発明の核心をなすものである。そのような電子目次本付きのカラオケ演奏装置それ自体も本願の特許請求の範囲となる。
【０００８】
（３）リモコン装置は、自身の操作により決定したリクエスト曲の楽曲ＩＤが前記電子目次本手段から伝送されてくるのを受けて、内蔵している不揮発性メモリの持ち歌リストにその楽曲ＩＤを登録する。
【０００９】
（４）リモコン装置は、特定の操作入力に応答して前記メモリに記録されている持ち歌リストを前記電子目次本手段に転送する。この持ち歌リストを受け取った電子目次本手段は、前記曲目データベースを利用してその持ち歌リストを文字で表示し、前記リモコン装置からリスト中の任意の曲を選択する信号が送られてくるのを待機し、ある曲が選択された場合にはその楽曲ＩＤをカラオケ演奏手段に伝達する。
【００１０】
ここで、このカラオケ演奏システムにおける前記電子目次本手段は、前記カラオケ演奏手段と独立した装置形態で構成され、前記カラオケ演奏手段と適宜な信号ケーブルで接続されて構成される装置としてもよいし、また、前記カラオケ演奏手段と前記電子目次本手段とが実質的に不可分な形態で装置構成されるものであってもよい。
【００１１】
【発明の実施の形態】
＝＝＝カラオケ演奏システムの構成＝＝＝
本実施例におけるカラオケ演奏システムは、通信カラオケ演奏端末３と、電子目次本装置５と、パーソナルリモコン７とによって構成される。図１にカラオケ演奏システムの概略構成を示す。
【００１２】
＜通信カラオケ演奏端末＞
通信カラオケ演奏端末３は、ＣＰＵ・ＲＡＭ・ＲＯＭ等を含んで構成されるコンピュータである中央処理装置１１、ハードディスク装置（ＨＤＤ）１３、ＤＶＤ装置１５、映像制御装置１７およびディスプレイ１９、カラオケ伴奏音楽とマイク２１からの音声入力を合成出力する音声制御装置２３とこれに接続するスピーカ２５、操作パネル・表示パネルによって構成される利用者インタフェース２７、ＩｒＤＡ信号による双方向通信が可能なＩｒＤＡインタフェース２９、ＲＳ−２３２Ｃインタフェース３１、通信回線網Ｎを介してホスト装置Ｈと接続する通信制御装置３３などを含んで構成される。
【００１３】
ハードディスク装置１３には、伴奏音楽データおよび歌詞描出データからなるカラオケデータが楽曲ＩＤ別に整理された、楽曲データベースＤｇが格納されている。通信カラオケ演奏端末３は、ホスト装置Ｈから送られてくる新譜のカラオケデータを受信して、これを適宜楽曲データベースＤｇに追記する。
【００１４】
通信カラオケ演奏端末３は、利用者インタフェース２７、ＩｒＤＡインタフェース２９、もしくはＲＳ−２３２Ｃインタフェース３１から伝達されてくるリクエスト曲の楽曲ＩＤを受け付けて、この楽曲ＩＤに対応するカラオケデータを楽曲データベースＤｇから読み出し、このカラオケデータに基づいてカラオケ伴奏音楽をスピーカ２５に出力するとともにこれに同期させた歌詞映像や背景映像をディスプレイ１９に出力する。
【００１５】
＜電子目次本装置＞
電子目次本装置５は、携帯型のパーソナルコンピュータであり、中央処理装置４１、ハードディスク装置（ＨＤＤ）４３、ＬＣＤ（液晶ディスプレイ）４５、キーボードおよびマウスなどの操作入力装置４７、ＩｒＤＡ信号による双方向通信が可能なＩｒＤＡインタフェース４９、ＲＳ−２３２Ｃインタフェース５１を備えて構成される。電子目次本装置５と通信カラオケ演奏端末３とはＲＳ−２３２Ｃインタフェース５１により相互に接続し、双方向通信が可能である。
【００１６】
ハードディスク装置４３には、楽曲ＩＤ・タイトル名・ジャンル名・歌手名などの目次情報が楽曲ＩＤをキーとして格納されている曲目データベースＤｋがある。曲目データベースＤｋは、前述した楽曲データベースＤｇをベースとして作成される。楽曲データベースＤｇの内容が変更されると通信カラオケ演奏端末３から電子目次本装置５にその変更情報が送られてくる。電子目次本装置５はこの変更情報に基づいて曲目データベースＤｋの内容を更新する。これにより楽曲データベースＤｇと曲目データベースＤｋの整合性が常時確保される。
【００１７】
電子目次本装置５は、利用者との間の対話処理により任意のリクエスト曲を検索し、そのリクエスト曲の楽曲ＩＤを通信カラオケ演奏端末５に伝達する楽曲検索システムである。電子目次本装置５は、パーソナルリモコン７から送られてくるＩｒＤＡ信号に応答して検索処理を開始し、五十音順・歌手別・ジャンル別などの様々なメッシュで整理した検索画面をＬＣＤ４５上に次々に表示する。利用者が検索画面を見ながらパーソナルリモコン７を操作して所定の予約操作を行うと、電子目次本装置５は予約されたリクエスト曲の楽曲ＩＤをＲＳ−２３２Ｃインタフェース５１を通じて通信カラオケ演奏端末３に伝達する。
【００１８】
＜パーソナルリモコン＞
パーソナルリモコン７は、事業者によって各利用者ごとに配布されるリモコン装置である。パーソナルリモコン７はＣＰＵ・ＲＡＭ・ＲＯＭ等を含んで構成されるマイコン装置６１、フラッシュメモリなどの不揮発性メモリ６３、ＬＣＤ（液晶ディスプレイ）６５、テンキー・十字キーなどの各種操作キーからなる操作入力装置６７、通信カラオケ演奏端末３および電子目次本装置５を制御するとともに電子目次本装置５との間で双方向通信を行うＩｒＤＡインタフェース６９とを含んで構成される。
【００１９】
また、各パーソナルリモコン７の不揮発性メモリ６３には、事業者によってあらかじめ固有のリモコンＩＤが記録されている。また、利用者は、所定の操作を行うことで、不揮発性メモリ６３に楽曲ＩＤを登録しておくことができ、不揮発性メモリ６３に登録されている楽曲ＩＤは「持ち歌リスト」として管理される。
【００２０】
パーソナルリモコン７によりカラオケ演奏装置３にリクエスト曲を予約する場合には、利用者は直接楽曲ＩＤを入力するか、もしくは、前述した「持ち歌リスト」から任意の楽曲ＩＤを呼び出してパーソナルリモコン７に楽曲ＩＤをセットする。そして、利用者がパーソナルリモコン７に対して所定の予約操作を行うと、パーソナルリモコン７は、楽曲ＩＤをＩｒＤＡインタフェース６９により通信カラオケ演奏端末３に伝達する。
【００２１】
＝＝＝「持ち歌リスト」への自動登録機能＝＝＝
電子目次本装置５は、あるパーソナルリモコン７による検索入力が開始された際に、このパーソナルリモコン７のリモコンＩＤを取得してこれを一時記憶する。電子目次本装置５は、当該パーソナルリモコン７によってリクエスト曲の楽曲ＩＤが通信カラオケ演奏端末３に伝達された時に、一時記憶しておいたリモコンＩＤを付帯させたこの楽曲ＩＤをＩｒＤＡインタフェース４９により発信する。
【００２２】
各パーソナルリモコンは、電子目次本装置から発信された楽曲ＩＤを受信して、その楽曲ＩＤに付帯するリモコンＩＤが自分のものであるかどうかを調べる。そして、自分のリモコンＩＤであった場合は、その楽曲ＩＤを自分の「持ち歌リスト」に登録する。以上のようにして電子目次本装置５で予約登録した楽曲ＩＤがパーソナルリモコン７の「持ち歌リスト」に自動的に蓄積登録されていく。
【００２３】
＝＝＝持ち歌提示モード＝＝＝
電子目次本装置５は、その検索処理機能の一つとして持ち歌提示モードを備えている。持ち歌提示モードによる検索処理は、パーソナルリモコン７により所定の切替え指示があった場合に開始される。持ち歌提示モードの開始時には、ＩｒＤＡ信号により切替え指示を行ったパーソナルリモコン７の「持ち歌リスト」が電子目次本装置５に転送される。電子目次本装置５は、転送されてきた「持ち歌リスト」に登録されている各楽曲ＩＤに対応する目次情報を曲目データベースＤｋから取得する。そして、これを用いて目次情報を並記した「持ち歌リスト」の一覧表を作成し、これをＬＣＤ４５上に表示する。利用者はパーソナルリモコン７を操作して、リクエストしたい曲をこの一覧表の中から選択することができる。電子目次本装置５は、予約されたリクエスト曲の楽曲ＩＤをＲＳ−２３２Ｃインタフェース５１を通じて通信カラオケ演奏端末３に伝達する。
【００２４】
＝＝＝その他の構成＝＝＝
ところで、以上に説明した構成では、同じパーソナルリモコン７で電子目次本装置５を操作して同じ曲を予約した場合、パーソナルリモコン７の「持ち歌リスト」に同じ楽曲ＩＤが重複登録されてしまうことになる。これを防ぐには、例えばパーソナルリモコン７に重複チェック機能を設けるとよい。
【００２５】
また、前述した構成では、あるパーソナルリモコン７により電子目次本装置５が操作されている時に他のパーソナルリモコン７による操作が行われると、両者のＩｒＤＡ信号が衝突し、電子目次本装置５の処理が正常に行われないという問題がある。これを防ぐため、例えば、適宜電子目次本装置５から制御信号をパーソナルリモコン７に向けて発信し、パーソナルリモコン７の送信制御を行うようにするとよい。そしてこの場合、電子目次本装置５がどのパーソナルリモコン７によっても操作されていない状態においては、電子目次本装置５から全てのパーソナルリモコン７の送信を許可する制御信号を発信しておき、あるパーソナルリモコン７による送信が開始された時点で、そのパーソナルリモコン７のみの送信を許可する制御信号に切り換えるようにする。また、このようにした場合、パーソナルリモコン７に送信可否を示すランプを設けておけば、自分のパーソナルリモコン７が送信できる状態にあるかどうかを利用者が確認できるので便利である。
【００２６】
また、前述した電子目次本装置５は、通信カラオケ演奏端末３とは独立した構成となっているが、通信カラオケ演奏端末３に内蔵された構成であってもよい。
【００２７】
【発明の効果】
以上に説明したように本発明によるカラオケ演奏システムであれば、電子目次本装置で検索したリクエスト曲の楽曲ＩＤが当該楽曲のリクエストを行ったパーソナルリモコンに自動的に蓄積登録され、利用者はそのリストを活用して簡単にリクエスト操作を行えるので便利である。
【図面の簡単な説明】
【図１】本発明の一実施例によるカラオケ演奏システムの概略構成を示す図である。
【符号の説明】
３    通信カラオケ演奏端末
５    電子目次本装置
７    パーソナルリモコン
３１  ＲＳ−２３２Ｃインタフェース
４９  ＩｒＤＡインタフェース
５１  ＲＳ−２３２Ｃインタフェース
６３  不揮発性メモリ
６９  ＩｒＤＡインタフェース
Ｄｇ  楽曲データベース
Ｄｋ  曲目データベース
【図１】
0004094125.tif 000002